(57)【要約】【課題】装置本体の片手での安定した保持が可能で、これにより持ち運びが容易とされた血圧計を提供する。【解決手段】血圧計１は、測定時において載置面に載置されて使用される装置本体１０Ａと、測定時において上腕に装着されて使用されるカフ４０とに分離されて構成されている。装置本体１０Ａは、硬質の部材にて構成された筐体１１と、カフ４０に配設された空気袋を加減圧するための加減圧機構と、測定結果を表示するための表示部２１と、筐体１１の一部に貫通孔１５を設けることによって形成された把持部１６とを有している。【選択図】図１
0003168025.tif 000002
【実用新案登録請求の範囲】
【請求項１】
測定時において載置面に載置されて使用される装置本体と、測定時において被測定部位に装着されて使用されるカフとに分離されて構成された血圧情報測定装置であって、
前記カフは、被測定部位を圧迫するための流体袋を含み、
前記装置本体は、硬質の部材にて構成された筐体と、前記筐体の内部に設けられ、前記流体袋を加減圧するための加減圧機構と、測定結果を表示するための表示部とを含み、
前記筐体は、その一部に貫通孔を設けることによって形成された把持部を有している、血圧情報測定装置。
【請求項２】
前記貫通孔の一方の開口端が、前記筐体の上面に位置している、請求項１に記載の血圧情報測定装置。
【請求項３】
前記筐体の上面が、前記装置本体の手前側を向くように傾斜して設けられ、
前記表示部が、傾斜して設けられた前記筐体の上面に配設されている、請求項１または２に記載の血圧情報測定装置。
【請求項４】
前記把持部が、前記筐体の前記表示部が設けられた部分よりも奥側の部分に設けられている、請求項３に記載の血圧情報測定装置。
【請求項５】
前記貫通孔の他方の開口端が、前記筐体の上面および下面を除く周側面に位置している、請求項２に記載の血圧情報測定装置。
【請求項６】
前記筐体は、載置面に載置される被載置面を含む下部側筐体部と、前記表示部が設けられた上部側筐体部とを有し、
前記上部側筐体部は、平面視した場合に前記下部側筐体部よりも外側に向けて迫り出した膨出部を含み、
前記貫通孔が前記膨出部に設けられることにより、前記把持部が、前記膨出部に形成されている、請求項１から５のいずれかに記載の血圧情報測定装置。
【請求項７】
前記表示部は、前記上部側筐体部の前記膨出部を除く部分の上面に配設され、
前記膨出部の上面が、前記表示部が配設された部分の前記上部側筐体部の上面よりも迫り出すように、前記膨出部が、前記上部側筐体部の前記膨出部を除く部分に対して傾斜して設けられている、請求項６に記載の血圧情報測定装置。
【請求項８】
前記筐体を構成する硬質の部材よりも軟質の緩衝材が、前記上部側筐体部の周縁に露出して設けられている、請求項６または７に記載の血圧情報測定装置。
【請求項９】
前記筐体の前記貫通孔を規定する部分の表面の色が、当該部分を除く前記筐体の表面の色と異なっている、請求項１から８のいずれかに記載の血圧情報測定装置。
【考案の詳細な説明】
【技術分野】
【０００１】
本考案は、被験者の血圧情報を測定することが可能に構成された血圧情報測定装置に関し、より特定的には、装置本体とカフとが分離されて構成された可搬型の血圧情報測定装置に関する。
【背景技術】
【０００２】
被験者の血圧情報を測定することは、被験者の健康状態を知る上で非常に重要なことである。近年においては、たとえば脳卒中や心不全、心筋梗塞等の心血管系疾患のリスク解析に資する代表的な指標としてその有用性が広く認められている収縮期血圧値（最高血圧）、拡張期血圧値（最低血圧）等の血圧値を測定することに限られず、被験者の脈波を測定すること等によって心臓負荷や動脈硬化度等を捉える試み等もなされている。
【０００３】
血圧情報測定装置は、これら血圧情報を測定するための装置であり、循環器系疾患の早期発見や予防、治療等の分野においてさらなる活用が期待されている。なお、血圧情報には、収縮期血圧値、拡張期血圧値、平均血圧値、脈波、脈拍、動脈硬化度を示す各種指標等、循環器系の種々の情報が広く含まれる。
【０００４】
一般に、血圧情報の測定には、カフが利用される。ここで、カフとは、内腔を有する流体袋を含む帯状または環状の構造物であって生体の一部に装着が可能なものを意味し、気体や液体等の流体を上記内腔に注入することによって流体袋を膨張させて動脈を圧迫することで血圧情報の測定に利用されるもののことを指す。なお、特に上腕に装着されて使用されるカフは、腕帯あるいはマンシェットとも呼ばれる。
【０００５】
血圧情報測定装置の代表例である血圧計には、様々な構成のものが存在するが、その一つに、装置本体とカフとが分離されて構成されたものが知られている。当該構成の血圧計にあっては、流体袋としての空気袋がカフに設けられ、当該空気袋を加減圧するためのエア系コンポーネントが装置本体に設けられる。そして、使用に際しては、これら分離されて構成された装置本体とカフとが可撓性のエア管を介して接続され、これによりエア系コンポーネントによって空気袋の加減圧が実現される。
【０００６】
上記構成の血圧計は、他の構成の血圧計に比べ、装置本体を比較的小型にかつ軽量に構成することができるため、特に可搬性の面において優れたものにすることができる。たとえば、医療機関において実施される回診等においては、血圧計を頻繁に持ち運ぶことが必要になるため、上記構成の血圧計が特に好適に利用される。
【０００７】
なお、上述した如く、装置本体とカフとが分離されて構成された血圧計としては、たとえば特開２００１−８９１０号公報（特許文献１）や、特開２０１０−６８９２２号公報（特許文献２）、意匠登録第１０８９９８６号公報（特許文献３）等に開示のものがある。
【先行技術文献】
【特許文献】
【０００８】
【特許文献１】特開２００１−８９１０号公報
【特許文献２】特開２０１０−６８９２２号公報
【特許文献３】意匠登録第１０８９９８６号公報
【考案の概要】
【考案が解決しようとする課題】
【０００９】
しかしながら、上記特許文献１および２に開示の血圧計にあっては、手で持って運び易くするための工夫が特に装置本体に施されていないため、実際にはこれを片手で保持して運ぶことは容易ではなく、結果的に装置本体を両手で保持して運ぶことが必要になる問題があった。また、上記特許文献３に開示の血圧計にあっては、装置本体の背面側上部に凹部が設けられることにより、当該凹部に手を挿入して装置本体を持ち上げることが可能に構成されてはいるものの、当該形状の把持部とした場合には、実質的に指先による保持となってしまうため、装置本体の片手での安定した保持が困難になる問題があった。
【００１０】
したがって、本考案は、上述した問題点を解決すべくなされたものであり、装置本体の片手での安定した保持が可能で、これにより持ち運びが容易とされた血圧情報測定装置を提供することを目的とする。
【課題を解決するための手段】
【００１１】
本考案に基づく血圧情報測定装置は、測定時において載置面に載置されて使用される装置本体と、測定時において被測定部位に装着されて使用されるカフとに分離されて構成されたものである。上記カフは、被測定部位を圧迫するための流体袋を含んでいる。上記装置本体は、硬質の部材にて構成された筐体と、上記筐体の内部に設けられ、上記流体袋を加減圧するための加減圧機構と、測定結果を表示するための表示部とを含んでいる。上記筐体は、その一部に貫通孔を設けることによって形成された把持部を有している。
【００１２】
上記本考案に基づく血圧情報測定装置にあっては、上記貫通孔の一方の開口端が、上記筐体の上面に位置していることが好ましい。
【００１３】
上記本考案に基づく血圧情報測定装置にあっては、上記筐体の上面が、上記装置本体の手前側を向くように傾斜して設けられていることが好ましく、その場合に、上記表示部が、傾斜して設けられた上記筐体の上面に配設されていることが好ましい。
【００１４】
上記本考案に基づく血圧情報測定装置にあっては、上記把持部が、上記筐体の上記表示部が設けられた部分よりも奥側の部分に設けられていることが好ましい。
【００１５】
上記本考案に基づく血圧情報測定装置にあっては、上記貫通孔の他方の開口端が、上記筐体の上面および下面を除く周側面に位置していることが好ましい。
【００１６】
上記本考案に基づく血圧情報測定装置にあっては、上記筐体が、載置面に載置される被載置面を含む下部側筐体部と、上記表示部が設けられた上部側筐体部とを有していることが好ましく、上記上部側筐体部が、平面視した場合に上記下部側筐体部よりも外側に向けて迫り出した膨出部を含んでいることが好ましい。その場合には、上記貫通孔が上記膨出部に設けられることにより、上記把持部が、上記膨出部に形成されていることが好ましい。
【００１７】
上記本考案に基づく血圧情報測定装置にあっては、上記表示部が、上記上部側筐体部の上記膨出部を除く部分の上面に配設されていることが好ましく、その場合に、上記膨出部の上面が、上記表示部が配設された部分の上記上部側筐体部の上面よりも迫り出すように、上記膨出部が、上記上部側筐体部の上記膨出部を除く部分に対して傾斜して設けられていることが好ましい。
【００１８】
上記本考案に基づく血圧情報測定装置にあっては、上記筐体を構成する硬質の部材よりも軟質の緩衝材が、上記上部側筐体部の周縁に露出して設けられていることが好ましい。
【００１９】
上記本考案に基づく血圧情報測定装置にあっては、上記筐体の上記貫通孔を規定する部分の表面の色が、当該部分を除く上記筐体の表面の色と異なっていることが好ましい。
【考案の効果】
【００２０】
本考案によれば、装置本体の片手での安定した保持が可能でこれにより持ち運びが容易とされた血圧情報測定装置を提供することができる。
【図面の簡単な説明】
【００２１】
【図１】本考案の実施の形態１における血圧計の概略斜視図である。
【図２】図１に示す血圧計の機能ブロックの構成を示す図である。
【図３】図１に示す血圧計の動作フローを示す図である。
【図４】図１に示す血圧計の装置本体の上面図である。
【図５】図１に示す血圧計の装置本体の下面図である。
【図６】図１に示す血圧計の装置本体の右側面図である。
【図７】図１に示す血圧計の装置本体を持ち運ぶ際の様子を示す図である。
【図８】図１に示す血圧計の装置本体の第１変形例を示す概略斜視図である。
【図９】図１に示す血圧計の装置本体の第２変形例を示す概略斜視図である。
【図１０】本考案の実施の形態２における血圧計の装置本体の概略斜視図である。
【図１１】図１０に示す血圧計の装置本体の右側面図である。
【図１２】本考案の実施の形態３における血圧計の装置本体の概略斜視図である。
【図１３】図１２に示す血圧計の装置本体の右側面図である。
【図１４】本考案の実施の形態４における血圧計の装置本体の概略斜視図である。
【図１５】本考案の実施の形態５における血圧計の装置本体の概略斜視図である。
【考案を実施するための形態】
【００２２】
以下、本考案の実施の形態について、図を参照して詳細に説明する。以下に示す実施の形態においては、血圧情報測定装置として、収縮期血圧値および拡張期血圧値を測定することが可能に構成された上腕式の血圧計を例示して説明を行なう。なお、以下に示す実施の形態においては、同一または共通する部分に図中同一の符号を付し、その説明は繰り返さない。
【００２３】
（実施の形態１）
図１は、本考案の実施の形態１における血圧計の概略斜視図であり、図２は、図１に示す血圧計の機能ブロックの構成を示す図である。まず、これら図１および図２を参照して、本実施の形態における血圧計の外観構造および機能ブロックの構成について説明する。
【００２４】
図１に示すように、本実施の形態における血圧計１は、装置本体１０Ａと、カフ４０と、エア管５０とを備えている。装置本体１０Ａとカフ４０とは、別体にて分離独立して構成されている。エア管５０は、可撓性を有しており、これら分離して構成された装置本体１０Ａとカフ４０とを接続している。
【００２５】
装置本体１０Ａは、たとえばアクリロニトリル−ブタジエン−スチレン共重合体樹脂（ＡＢＳ樹脂）等からなる比較的硬質な部材にて構成された箱状の筐体１１を有しており、内部に後述するエア系コンポーネント３０（図２参照）を含む各種の構成部品が収容されている。装置本体１０Ａの上面１１ａの所定位置には、表示部２１および操作部２３が設けられている。装置本体１０Ａは、測定時においてテーブル等の載置面に載置されて使用される。
【００２６】
カフ４０は、被測定部位としての上腕に巻き付けが可能な帯状の形態を有しており、外装カバー４１と、上腕を圧迫するための流体袋としての空気袋４２（図２参照）とを主として備えている。カフ４０は、測定時において上腕に巻き付けられて装着されることで使用される。
【００２７】
外装カバー４１は、空気袋４２を上腕に巻き付けるための部材であり、比較的柔軟な部材にて構成されている。外装カバー４１は、その内部に上述した空気袋４２を収容している。空気袋４２は、好適には樹脂シートを用いて形成された袋状の部材からなり、内部に内腔を有している。空気袋４２の内腔は、上述したエア管５０を介して、装置本体１０Ａに設けられたエア系コンポーネント３０（図２参照）に接続される。
【００２８】
図２に示すように、装置本体１０Ａは、上述した表示部２１および操作部２３に加え、制御部２０と、メモリ部２２と、電源部２４と、加圧ポンプ３１と、排気弁３２と、圧力センサ３３と、加圧ポンプ駆動回路３４と、排気弁駆動回路３５と、発振回路３６とを有している。加圧ポンプ３１、排気弁３２および圧力センサ３３は、血圧計１に具備されるエア系コンポーネント３０に相当し、特に加圧ポンプ３１および排気弁３２は、空気袋４２を加減圧するための加減圧機構に相当する。
【００２９】
制御部２０は、たとえばＣＰＵ（Central Processing Unit）にて構成され、血圧計１の全体を制御するための手段である。メモリ部２２は、たとえばＲＯＭ（Read-Only Memory）やＲＡＭ（Random-Access Memory）にて構成され、血圧値測定のための処理手順を制御部２０等に実行させるためのプログラムを記憶したり、測定結果等を記憶したりするための手段である。
【００３０】
表示部２１は、たとえばＬＣＤ（Liquid Crystal Display）にて構成され、測定結果等を表示するための手段である。操作部２３は、使用者等による操作を受付けてこの外部からの命令を制御部２０や電源部２４に入力するための手段である。電源部２４は、制御部２０に電力を供給するための手段である。
【００３１】
制御部２０は、加圧ポンプ３１および排気弁３２を駆動するための制御信号を加圧ポンプ駆動回路３４および排気弁駆動回路３５にそれぞれ入力したり、測定結果としての血圧値を表示部２１やメモリ部２２に入力したりする。また、制御部２０は、圧力センサ３３によって検出された圧力値に基づいて被験者の血圧値を取得する血圧情報取得部（不図示）を含んでおり、この血圧情報測定部によって取得された血圧値が、測定結果として上述した表示部２１やメモリ部２２に入力される。
【００３２】
なお、血圧計１は、測定結果としての血圧値を外部の機器（たとえばＰＣ（Personal Computer）やプリンタ等）に出力する出力部を別途有していてもよい。出力部としては、たとえばシリアル通信回線や各種の記録媒体への書き込み装置等が利用可能である。
【００３３】
加圧ポンプ駆動回路３４は、制御部２０から入力された制御信号に基づいて加圧ポンプ３１の動作を制御する。排気弁駆動回路３５は、制御部２０から入力された制御信号に基づいて排気弁３２の開閉動作を制御する。加圧ポンプ３１は、空気袋４２の内部の空間に空気を供給することにより空気袋４２の内圧（以下、「カフ圧」とも称する）を加圧するためのものであり、その動作が上述した加圧ポンプ駆動回路３４によって制御される。排気弁３２は、空気袋４２の内圧を維持したり、空気袋４２の内部の空間を外部に開放してカフ圧を減圧したりするためのものであり、その動作が上述した排気弁駆動回路３５によって制御される。
【００３４】
圧力センサ３３は、空気袋４２の内圧に応じた出力信号を発振回路３６に入力する。発振回路３６は、圧力センサ３３から入力された信号に応じた発振周波数の信号を生成し、生成した信号を制御部２０に入力する。
【００３５】
図３は、本実施の形態における血圧計の動作フローを示す図である。次に、この図３を参照して、本実施の形態における血圧計の動作フローについて説明する。なお、この図３に示すフローチャートに従うプログラムは、上述したメモリ部２２に予め記憶されており、制御部２０がメモリ部２２からこのプログラムを読み出して実行することにより、その処理が実行されるものである。
【００３６】
血圧値を測定するに際しては、カフ４０が予め被験者の上腕に巻き付けられて装着される。この状態において、装置本体１０Ａに設けられた操作部２３が操作されて血圧計１の電源がオンにされると、制御部２０に対して電源部２４から電力が供給されて制御部２０が駆動する。図３に示すように、制御部２０は、その駆動後において、まず血圧計１の初期化を行なう（ステップＳ１０１）。
【００３７】
次に、制御部２０は、測定開始の指示を待ち、操作部２３が操作されて測定開始の指示が入力されると、排気弁３２を閉塞させるとともに加圧ポンプ３１の駆動を開始し、空気袋４２のカフ圧を徐々に上昇させる（ステップＳ１０２）。
【００３８】
この空気袋４２を加圧する過程において、制御部２０は、公知の手順で最高血圧および最低血圧を算出する（ステップＳ１０３）。具体的には、制御部２０は、空気袋４２のカフ圧を加圧する過程において発振回路３６から得られる発振周波数に基づき脈波情報を抽出する。そして、制御部２０は、抽出された脈波情報に基づいて血圧値を算出する。
【００３９】
ステップＳ１０３において血圧値が算出されると、制御部２０は、加圧ポンプ３１の駆動を停止するとともに排気弁３２を開放することで空気袋４２内の空気を完全に排気し（ステップＳ１０４）、測定結果としての血圧値を表示部２１に表示するとともに、当該血圧値をメモリ部２２に格納する（ステップＳ１０５）。
【００４０】
その後、制御部２０は、電源オフの指令を待ってその動作を終了する。なお、以上において説明した測定方式は、空気袋４２の加圧時に脈波を検出するいわゆる加圧測定方式に基づいたものであるが、空気袋４２の減圧時に脈波を検出するいわゆる減圧測定方式を採用することも当然に可能である。
【００４１】
図４ないし図６は、本実施の形態における血圧計の装置本体の上面図、下面図および右側面図である。また、図７は、図１に示す血圧計の装置本体を持ち運ぶ際の様子を示す図である。次に、上述した図１に加え、これら図４ないし図７を参照して、本実施の形態における血圧計の装置本体のより詳細な構造およびこれを持ち運ぶ際の様子について説明する。
【００４２】
図１および図４ないし図６に示すように、装置本体１０Ａの筐体１１は、その上面１１ａが装置本体１０Ａの手前側を向くように傾斜して設けられている。より具体的には、使用時において使用者側に位置することとなる装置本体１０Ａの手前側の端部が、使用時において使用者側とは反対側に位置することとなる装置本体１０Ａの奥側の端部よりも低所に配置されるように、筐体１１の上面１１ａが傾斜して設けられており、これにより使用時において、筐体１１の上面１１ａに設けられた表示部２１の視認性の向上が図られている。
【００４３】
また、筐体１１は、上部側筐体部１２と下部側筐体部１３とを含んでいる。上部側筐体部１２は、筐体１１の上面１１ａをその上面として有しており、当該上面に上述した表示部２１および操作部２３が配設されている。下部側筐体部１３は、筐体１１の下面１１ｃをその下面として有しており、当該下面がテーブル等の載置面に載置される被載置面として機能する。
【００４４】
上部側筐体部１２は、平面視した場合に下部側筐体部１３よりも外側に向けて迫り出した膨出部１４ａ，１４ｂを有している。当該膨出部１４ａ，１４ｂは、筐体１１の周側面１１ｂから側方に向けて突出して設けられており、筐体１１の全周囲にわたって位置している。このうち、筐体１１の奥側に位置する膨出部１４ａは、筐体１１の手前側、右側および左側に位置する膨出部１４ｂよりも筐体１１の周側面１１ｂからより突出して設けられている。
【００４５】
上記筐体１１の奥側に位置する膨出部１４ａには、貫通孔１５が設けられている。当該貫通孔１５は、その一方の開口端が筐体１１の上面１１ａに位置するように上部側筐体部１２の上面から下面側に向けて延びるように設けられており、これにより当該膨出部１４ａに把持部１６が形成されている。したがって、把持部１６は、筐体１１の表示部２１が設けられた部分よりも奥側の部分に設けられている。
【００４６】
当該把持部１６は、装置本体１０Ａを持ち運ぶ際に、当該把持部１６を手で握ることによって保持するための部位であり、上記貫通孔１５は、当該手を挿入するための挿入用の孔である。そのため、図７に示すように、当該貫通孔１５に片方の手１００の手先を挿入して把持部１６を握ることにより、安定的に装置本体１０Ａを保持することが可能になり、装置本体１０Ａを搬送する際に片手での安定した保持が可能になり、持ち運びの容易化が図られることになる。
【００４７】
また、筐体１１の上部側筐体部１２に上述した大きく迫り出す膨出部１４ａを設け、当該膨出部１４ａに貫通孔１５を設けることにより、当該膨出部１４ａの鉛直下方の部分に大きな空間が形成されることになるため、把持部１６を握る際に貫通孔１５に手を挿入し易くなり、より取扱い性に優れたものとすることができる。
【００４８】
なお、図４ないし図６に示すように、装置本体１０Ａの筐体１１の右側面には、上述したエア管５０を接続するためのエア管接続部１７が設けられており、装置本体１０Ａの下面１１ｃには、テーブル等の載置面に装置本体１０Ａを載置した際に、これが載置面上においてスリップすることを防止するための弾性部材からなる脚部１９が複数突出して設けられている。
【００４９】
以上において説明したように、本実施の形態における血圧計１とすることにより、装置本体１０Ａを搬送する際に片手での安定した保持が可能で、これにより持ち運びが容易とされた血圧計とすることができる。すなわち、従来の血圧計にあっては、装置本体を手で持って運び易くするための工夫が特に施されていないか、あるいは装置本体の所定位置に凹部を設ける程度の工夫であったため、片手での持ち運びができないか、あるいは持ち運べたとしてもその安定した保持が難しいものであったのに対し、上述した本実施の形態における血圧計１にあっては、装置本体１０Ａの筐体１１に貫通孔１５を設けることで把持部１６が形成されているため、これをしっかりと握ることが可能になり、装置本体１０Ａの片手での安定した保持が可能となり、持ち運びの容易化が図られることになる。
【００５０】
ここで、図６に示すように、本実施の形態における血圧計１の装置本体１０Ａにあっては、筐体１１の奥側に位置する膨出部１４ａの上面が表示部２１が配設された部分の上部側筐体部１２の上面よりも上方に向けて迫り出すように、当該膨出部１４ａが、上部側筐体部１２の他の部分に対して所定の角度αをもって傾斜して設けられている。このように構成することにより、装置本体１０Ａを床面２００等に落下させた場合にも、表示部２１の表示面が床面２００等に接触することが防止できるため、表示部２１の破損を防止することができる。なお、上記角度αは、特に制限されるものではなく、０°＜α≦９０°の条件を満たしていればよいが、より好ましくは、０°＜α≦３０°程度とされる。
【００５１】
図８は、本実施の形態における血圧計の装置本体の第１変形例を示す概略斜視図である。この図８に示すように、筐体１１を構成する上記硬質の部材よりも軟質の緩衝材１８を、上部側筐体部１２の周縁の全周囲（すなわち、膨出部１４ａ，１４ｂの側方端部の全域（図中において斜線部で示した部位））にわたって露出して設けることとすれば、落下の際の衝撃が装置本体１０Ａに加わることを緩和することができる。したがって、当該構成を採用すれば、装置本体１０Ａの内部に配設された内部構成部品の保護が図られることになり、血圧計１の破損を生じ難くすることが可能になる。なお、上部側筐体部１２の全周囲にわたって設けられる緩衝材１８としては、各種ゴムやエラストマ等、様々なものが適用できる。
【００５２】
図９は、本実施の形態における血圧計の装置本体の第２変形例を示す概略斜視図である。この図９に示すように、貫通孔１５を規定する部分の筐体１１の内周面１５ａ（図中において斜線部で示した面）を、筐体１１の他の部分の表面（図中において斜線部で示していない面）の色とは異なる色に着色することとすれば、上記把持部１６に視線を集め易くなり、使用者が当該把持部１６を搬送のための取っ手と理解し易くなる。したがって、当該構成を採用すれば、搬送の際に当該把持部１６を使用者が確実に握るように誘導することができことになり、装置本体１０Ａの落下等を未然に防止することが可能になる。
【００５３】
（実施の形態２）
図１０は、本考案の実施の形態２における血圧計の装置本体の概略斜視図である。また、図１１は、本実施の形態における血圧計の装置本体の右側面図である。次に、これら図１０および図１１を参照して、本考案の実施の形態２における血圧計について説明する。
【００５４】
図１０および図１１に示すように、本実施の形態における血圧計の装置本体１０Ｂにあっては、上述した本考案の実施の形態１における血圧計１の装置本体１０Ａと同様に、筐体１１の上面１１ａが、装置本体１０Ａの手前側を向くように傾斜して設けられており、筐体１１が、上部側筐体部１２と下部側筐体部１３とを含んでいる。
【００５５】
上部側筐体部１２は、平面視した場合に下部側筐体部１３よりも外側に向けて迫り出した膨出部１４ａ，１４ｂを有している。当該膨出部１４ａ，１４ｂは、筐体１１の周側面１１ｂから側方に向けて突出して設けられており、筐体１１の全周囲にわたって位置している。このうち、筐体１１の手前側に位置する膨出部１４ａは、筐体１１の奥側、右側および左側に位置する膨出部１４ｂよりも筐体１１の周側面１１ｂからより突出して設けられている。
【００５６】
上記筐体１１の手前側に位置する膨出部１４ａには、貫通孔１５が設けられている。当該貫通孔１５は、その一方の開口端が筐体１１の上面１１ａに位置するように上部側筐体部１２の上面から下面側に向けて延びるように設けられており、これにより当該膨出部１４ａに把持部１６が形成されている。したがって、把持部１６は、筐体１１の表示部２１が設けられた部分よりも手前側の部分に設けられている。
【００５７】
このように構成した場合にも、上述した本考案の実施の形態１における血圧計１とした場合と同様の効果を得ることができる。すなわち、装置本体１０Ｂを搬送する際に片手での安定した保持が可能で、これにより持ち運びが容易とされた血圧計とすることができる。
【００５８】
（実施の形態３）
図１２は、本考案の実施の形態３における血圧計の装置本体の概略斜視図である。また、図１３は、本実施の形態における血圧計の装置本体の右側面図である。次に、これら図１２および図１３を参照して、本考案の実施の形態３における血圧計について説明する。
【００５９】
図１２および図１３に示すように、本実施の形態における血圧計の装置本体１０Ｃにあっては、上述した本考案の実施の形態１における血圧計１の装置本体１０Ａと同様に、筐体１１の上面１１ａが、装置本体１０Ａの手前側を向くように傾斜して設けられている。一方、筐体１１には、特に上部側筐体部と下部側筐体部との区別はなく、筐体１１の周側面１１ｂには、膨出部が設けられていない。
【００６０】
装置本体１０Ｃの筐体１１の奥側に位置する部分には、貫通孔１５が設けられている。当該貫通孔１５は、その一方の開口端が筐体１１の上面１１ａに位置し、その他方の開口端が筐体１１の周側面１１ｂである背面に位置するように、筐体１１に貫通して設けられており、これにより筐体１１の奥側でかつ上部側の端部部分に把持部１６が形成されている。したがって、把持部１６は、筐体１１の表示部２１が設けられた部分よりも奥側の部分に設けられている。
【００６１】
このように構成した場合にも、上述した本考案の実施の形態１における血圧計１とした場合と同様の効果を得ることができる。すなわち、装置本体１０Ｃを搬送する際に片手での安定した保持が可能で、これにより持ち運びが容易とされた血圧計とすることができる。
【００６２】
（実施の形態４）
図１４は、本考案の実施の形態４における血圧計の装置本体の概略斜視図である。次に、この図１４を参照して、本考案の実施の形態４における血圧計について説明する。
【００６３】
図１４に示すように、本実施の形態における血圧計の装置本体１０Ｄにあっては、上述した本考案の実施の形態１における血圧計１の装置本体１０Ａと同様に、筐体１１が、上部側筐体部１２と下部側筐体部１３とを含んでいる。一方、筐体１１の上面１１ａは、特に傾斜しておらず、筐体１１の下面と平行に設けられている。
【００６４】
上部側筐体部１２は、平面視した場合に下部側筐体部１３よりも外側に向けて迫り出した膨出部１４ａ，１４ｂを有している。当該膨出部１４ａ，１４ｂは、筐体１１の周側面１１ｂから側方に向けて突出して設けられており、筐体１１の全周囲にわたって位置している。このうち、筐体１１の手前側および奥側に位置する膨出部１４ａは、筐体１１の右側および左側に位置する膨出部１４ｂよりも筐体１１の周側面１１ｂからより突出して設けられている。
【００６５】
上記筐体１１の手前側および奥側に位置する膨出部１４ａには、貫通孔１５がそれぞれ設けられている。当該貫通孔１５の各々は、その一方の開口端が筐体１１の上面１１ａに位置するように上部側筐体部１２の上面から下面側に向けて延びるように設けられており、これにより当該一対の膨出部１４ａのそれぞれに把持部１６が形成されている。したがって、把持部１６は、筐体１１の表示部２１が設けられた部分よりも手前側の部分と奥側の部分とに一対設けられている。
【００６６】
このように構成した場合にも、上述した本考案の実施の形態１における血圧計１とした場合と同様の効果を得ることができる。すなわち、装置本体１０Ｄを搬送する際に片手での安定した保持が可能で、これにより持ち運びが容易とされた血圧計とすることができる。また、把持部１６が複数設けられることにより、さらに取扱い性に優れた血圧計とすることができる。
【００６７】
（実施の形態５）
図１５は、本考案の実施の形態５における血圧計の装置本体の概略斜視図である。次に、この図１５を参照して、本考案の実施の形態５における血圧計について説明する。
【００６８】
図１５に示すように、本実施の形態における血圧計の装置本体１０Ｅにあっては、上述した本考案の実施の形態１における血圧計１の装置本体１０Ａと同様に、筐体１１が、上部側筐体部１２と下部側筐体部１３とを含んでいる。一方、筐体１１の上面１１ａは、特に傾斜しておらず、筐体１１の下面と平行に設けられている。
【００６９】
上部側筐体部１２は、平面視した場合に下部側筐体部１３よりも外側に向けて迫り出した膨出部１４ａ，１４ｂを有している。当該膨出部１４ａ，１４ｂは、筐体１１の周側面１１ｂから側方に向けて突出して設けられており、筐体１１の全周囲にわたって位置している。このうち、筐体１１の右側および左側に位置する膨出部１４ａは、筐体１１の手前側および奥側に位置する膨出部１４ｂよりも筐体１１の周側面１１ｂからより突出して設けられている。
【００７０】
上記筐体１１の右側および左側に位置する膨出部１４ａには、貫通孔１５がそれぞれ設けられている。当該貫通孔１５の各々は、その一方の開口端が筐体１１の上面１１ａに位置するように上部側筐体部１２の上面から下面側に向けて延びるように設けられており、これにより当該一対の膨出部１４ａのそれぞれに把持部１６が形成されている。したがって、把持部１６は、筐体１１の表示部２１が設けられた部分よりも右側の部分と左側の部分とに一対設けられている。
【００７１】
このように構成した場合にも、上述した本考案の実施の形態１における血圧計１とした場合と同様の効果を得ることができる。すなわち、装置本体１０Ｅを搬送する際に片手での安定した保持が可能で、これにより持ち運びが容易とされた血圧計とすることができる。また、把持部１６が複数設けられることにより、さらに取扱い性に優れた血圧計とすることができる。
【００７２】
以上において説明した本考案の実施の形態１ないし５およびその変形例において示した特徴的な構成は、本考案の課題に照らし、許容される範囲で当然にその組み合わせが可能である。
【００７３】
また、上述した本考案の実施の形態１ないし５およびその変形例にあっては、被測定部位として上腕が採用された上腕式血圧計に本考案を適用した場合を例示して説明を行なったが、血圧計が装置本体とカフとに分離されて構成されたものであるならば、手首式血圧計や足式血圧計等にも当然にその適用が可能である。
【００７４】
さらには、上述した本考案の実施の形態１ないし５およびその変形例にあっては、最高血圧および最低血圧が測定可能な血圧計に本考案を適用した場合を例示して説明を行なったが、最高血圧および最低血圧以外の他の血圧情報（たとえば、平均血圧値、脈波、脈拍、ＡＩ（Augmentation Index）値等）が測定可能な血圧情報測定装置に本考案を適用することも当然に可能である。
【００７５】
このように、今回開示した上記各実施の形態およびその変形例はすべての点で例示であって、制限的なものではない。本考案の技術的範囲は実用新案登録請求の範囲によって画定され、また実用新案登録請求の範囲の記載と均等の意味および範囲内でのすべての変更を含むものである。
【符号の説明】
【００７６】
１  血圧計、１０Ａ〜１０Ｅ  装置本体、１１  筐体、１１ａ  上面、１１ｂ  周側面、１１ｃ  下面、１２  上部側筐体部、１３  下部側筐体部、１４ａ，１４ｂ  膨出部、１５  貫通孔、１５ａ  内周面、１６  把持部、１７  エア管接続部、１８  緩衝材、１９  脚部、２０  制御部、２１  表示部、２２  メモリ部、２３  操作部、２４  電源部、３０  エア系コンポーネント、３１  加圧ポンプ、３２  排気弁、３３  圧力センサ、３４  加圧ポンプ駆動回路、３５  排気弁駆動回路、３６  発振回路、４０  カフ、４１  外装カバー、４２  空気袋、５０  エア管、１００  手、２００  床面。
【図１】
0003168025.tif 000003
【図２】
0003168025.tif 000004
【図３】
0003168025.tif 000005
【図４】
0003168025.tif 000006
【図５】
0003168025.tif 000007
【図６】
0003168025.tif 000008
【図７】
0003168025.tif 000009
【図８】
0003168025.tif 000010
【図９】
0003168025.tif 000011
【図１０】
0003168025.tif 000012
【図１１】
0003168025.tif 000013
【図１２】
0003168025.tif 000014
【図１３】
0003168025.tif 000015
【図１４】
0003168025.tif 000016
【図１５】
0003168025.tif 000017